【手続補正書】
【提出日】平成21年9月10日(2009.9.10)
【手続補正１】
【補正対象書類名】明細書
【補正対象項目名】特許請求の範囲
【補正方法】変更
【補正の内容】
【特許請求の範囲】
【請求項１】  画像のシーケンスを表すビデオ信号を符号化して符号化されたビデオ信号を形成する方法であって、前記方法が、前記符号化されたビデオ信号中の基準画像の符号化順序を個別のシーケンス指示子値で示すステップを含み、前記シーケンス指示子値は、独立した順序番号付けスキームを有し、符号化の順に連続する基準画像は、連続する基準画像間で符号化された非基準画像の番号とは無関係の所定の大きさだけ互いに異なるシーケンス指示子値を付与されることを特徴とする方法。
【請求項２】  請求項１に記載の方法において、連続して符号化される基準画像間で、前記シーケンス指示子値を１だけインクリメントするステップを含むことを特徴とする方法。
【請求項３】  請求項１に記載の方法において、前記シーケンス指示子値を画像ヘッダ内に含めるステップを含むことを特徴とする方法。
【請求項４】  請求項１に記載の方法において、前記ビデオ信号をＨ．２６３規格に従って符号化するステップと、前記個別のシーケンス指示子値をＨ．２６３のビットストリームの補助的エンハンスメント情報内に含めるステップと、を含むことを特徴とする方法。
【請求項５】  請求項１に記載の方法において、シーケンス指示子値を画像全体と関連付けるステップを含むことを特徴とする方法。
【請求項６】  請求項１に記載の方法において、シーケンス指示子値を画像の一部分と関連付けるステップを含むことを特徴とする方法。
【請求項７】  請求項６に記載の方法において、前記シーケンス指示子値を符号化された画像の画像セグメント・ヘッダまたはマクロ・ブロック・ヘッダ内に含めるステップを含むことを特徴とする方法。
【請求項８】  請求項１に記載の方法において、多層符号化を使用して前記ビデオ信号を符号化し符号化された多層ビデオ信号を生成するステップと、前記多層符号化ビデオ信号の前記多層のそれぞれについて個別のシーケンス指示子値を提供するステップと、を含むことを特徴とする方法。
【請求項９】  符号化されたビデオ信号を復号化して画像のシーケンスを表す復号化されたビデオ信号を形成する方法であって、前記方法が、
復号化された基準画像を符号化の順に調べて前記復号化された基準画像に付与された個別のシーケンス指示子値の差を確認するステップであって、前記シーケンス指示子値は独立した順序番号付けスキームを有し、符号化の順に連続する基準画像は、連続する基準画像間で符号化された非基準画像の番号とは無関係の所定の大きさだけ互いに異なるシーケンス指示子値を付与されるステップと、
個別のシーケンス指示子値の前記確認された差を前記所定の大きさと比較して、基準画像の消失を検出するステップと、を含むことを特徴とする方法。
【請求項１０】  請求項９に記載の方法において、さらに、前記確認された差が前記所定の大きさと異なる時に、非時間的に予測された方法で符号化された画像を提供するようエンコーダに要求を送信するステップを含むことを特徴とする方法。
【請求項１１】  請求項９に記載の方法において、符号化の順に連続する基準画像に付与された前記シーケンス指示子値が１ずつ異なる時、前記比較において所定の大きさである１を用いるステップを含むことを特徴とする方法。
【請求項１２】  請求項９に記載の方法において、画像ヘッダからシーケンス指示子値を取得するステップを含むことを特徴とする方法。
【請求項１３】  請求項９に記載の方法において、Ｈ．２６３規格に従って符号化されたビデオ信号を受信するステップと、Ｈ．２６３のビットストリームの補助的エンハンスメント情報からシーケンス指示子値を取得するステップと、を含むことを特徴とする方法。
【請求項１４】  請求項９に記載の方法において、シーケンス指示子値が画像全体と関連付けられていることを特徴とする方法。
【請求項１５】  請求項９に記載の方法において、シーケンス指示子値が画像の一部分と関連付けられていることを特徴とする方法。
【請求項１６】  請求項１５に記載の方法において、前記シーケンス指示子値を、符号化された画像の画像セグメント・ヘッダまたはマクロ・ブロック・ヘッダから取得するステップを含むことを特徴とする方法。
【請求項１７】  請求項９に記載の方法において、符号化された多層ビデオ信号の各層について提供されたシーケンス指示子値の確認された差を調べ、前記層内の基準画像の消失を検出するステップを含むことを特徴とする方法。
【請求項１８】  画像のシーケンスを表すビデオ信号を符号化して符号化されたビデオ信号を形成するエンコーダであって、前記エンコーダは、前記符号化されたビデオ信号中の基準画像の符号化順序を個別のシーケンス指示子値で示すよう構成され、前記シーケンス指示子値は、独立した順序番号付けスキームを有し、符号化の順に連続する基準画像は、連続する基準画像間で符号化された非基準画像の番号とは無関係の所定の大きさだけ互いに異なるシーケンス指示子値を付与されることを特徴とするエンコーダ。
【請求項１９】  請求項１８に記載のエンコーダにおいて、前記エンコーダは連続して符号化される基準画像間で前記シーケンス指示子値を１だけインクリメントするよう構成されていることを特徴とするエンコーダ。
【請求項２０】  請求項１８に記載のエンコーダにおいて、前記エンコーダはシーケンス指示子値を画像ヘッダ内に含むよう構成されていることを特徴とするエンコーダ。
【請求項２１】  請求項１８に記載のエンコーダにおいて、前記エンコーダは前記ビデオ信号をＨ．２６３規格に従って符号化し、前記個別のシーケンス指示子値をＨ．２６３のビットストリームの補助的エンハンスメント情報内に含むよう構成されていることを特徴とするエンコーダ。
【請求項２２】  請求項１８に記載のエンコーダにおいて、前記エンコーダはシーケンス指示子値を画像全体と関連付けるよう構成されていることを特徴とするエンコーダ。
【請求項２３】  請求項１８に記載のエンコーダにおいて、前記エンコーダはシーケンス指示子値を画像の一部分と関連付けるよう構成されていることを特徴とするエンコーダ。
【請求項２４】  請求項２３に記載のエンコーダにおいて、前記エンコーダは前記シーケンス指示子値を符号化された画像の画像セグメント・ヘッダまたはマクロ・ブロック・ヘッダの中に含めるよう構成することを特徴とするエンコーダ。
【請求項２５】  請求項１８に記載のエンコーダにおいて、前記エンコーダは、多層符号化を使用して前記ビデオ信号を符号化し符号化された多層ビデオ信号を生成するとともに、前記多層符号化ビデオ信号の前記多層のそれぞれについて個別のシーケンス指示子値を提供するよう構成されていることを特徴とするエンコーダ。
【請求項２６】  符号化されたビデオ信号を復号化して画像のシーケンスを表す復号化されたビデオ信号を形成するデコーダであって、前記デコーダは、復号化された基準画像を符号化の順に調べて前記復号化された基準画像に付与された個別のシーケンス指示子値の差を確認するよう構成され、前記シーケンス指示子値は独立した順序番号付けスキームを有し、符号化の順に連続する基準画像は、連続する基準画像間で符号化された非基準画像の番号とは無関係の所定の大きさだけ互いに異なるシーケンス指示子値を付与され、
前記個別のシーケンス指示子値の前記確認された差を前記所定の大きさと比較して、基準画像の消失を検出するよう構成されていることを特徴とするデコーダ。
【請求項２７】  請求項２６に記載のデコーダにおいて、前記デコーダは、さらに、前記確認された差が前記所定の大きさと異なる時に、非時間的に予測された方法で符号化された画像を提供するようエンコーダに要求を送信するよう構成されていることを特徴とするデコーダ。
【請求項２８】  請求項２６に記載のデコーダにおいて、前記デコーダは、符号化の順に連続する基準画像に付与された前記シーケンス指示子値が１ずつ異なる時、前記比較において所定の大きさである１を用いるよう構成されていることを特徴とするデコーダ。
【請求項２９】  請求項２６に記載のデコーダにおいて、前記デコーダは画像ヘッダからシーケンス指示子値を取得するよう構成されていることを特徴とするデコーダ。
【請求項３０】  請求項２６に記載のデコーダにおいて、前記デコーダはＨ．２６３規格に従って符号化されたビデオ信号を受信し、Ｈ．２６３のビットストリームの補助的エンハンスメント情報からシーケンス指示子値を取得するよう構成されていることを特徴とするデコーダ。
【請求項３１】  請求項２６に記載のデコーダにおいて、シーケンス指示子値が画像全体と関連付けられていることを特徴とするデコーダ。
【請求項３２】  請求項２６に記載のデコーダにおいて、シーケンス指示子値が画像の一部分と関連付けられていることを特徴とするデコーダ。
【請求項３３】  請求項３２に記載のデコーダにおいて、前記デコーダは、前記シーケンス指示子値を、符号化された画像の画像セグメント・ヘッダまたはマクロ・ブロック・ヘッダから取得するよう構成されていることを特徴とするデコーダ。
【請求項３４】  請求項２６に記載のデコーダにおいて、前記デコーダは、符号化された多層ビデオ信号の各層について提供されたシーケンス指示子値の確認された差を調べ、前記層内の基準画像の消失を検出するよう構成されていることを特徴とするデコーダ。
【請求項３５】  請求項１８に記載のエンコーダまたは請求項２６に記載のデコーダを含むことを特徴とする携帯用無線通信装置。
【請求項３６】  請求項１８に記載のエンコーダまたは請求項２６に記載のデコーダを含むことを特徴とするマルチメディア端末装置。
【請求項３７】  画像のシーケンスを表すビデオ信号を符号化して符号化されたビデオ信号を形成するための装置であって、前記装置は、前記符号化されたビデオ信号中の基準画像の符号化順序を個別のシーケンス指示子値で示すよう構成され、前記シーケンス指示子値は、独立した順序番号付けスキームを有し、符号化の順に連続する基準画像は、連続する基準画像間で符号化された非基準画像の番号とは無関係の所定の大きさだけ互いに異なるシーケンス指示子値を付与されることを特徴とする装置。
【請求項３８】  符号化されたビデオ信号を復号化して画像のシーケンスを表す復号化されたビデオ信号を形成するための装置であって、前記装置は、復号化された基準画像を符号化の順に調べて前記復号化された基準画像に付与された個別のシーケンス指示子値の差を確認するよう構成され、前記シーケンス指示子値は独立した順序番号付けスキームを有し、符号化の順に連続する基準画像は、連続する基準画像間で符号化された非基準画像の番号とは無関係の所定の大きさだけ互いに異なるシーケンス指示子値を付与されており、前記個別のシーケンス指示子値の前記確認された差を前記所定の大きさと比較して、基準画像の消失を検出するよう構成されていることを特徴とする装置。
【請求項３９】  画像のシーケンスの符号化表現であって、前記画像のシーケンスの基準画像の符号化順序を示すための個別のシーケンス指示子値を含み、前記シーケンス指示子値は独立した順序番号付けスキームを有し、符号化の順に連続する基準画像が、連続する基準画像間で符号化された非基準画像の番号とは無関係の所定の大きさだけ互いに異なるシーケンス指示子値を付与されることを特徴とする符号化表現。
【請求項４０】  請求項３９に記載の画像のシーケンスの符号化表現において、連続して符号化された基準画像の前記シーケンス指示子値は１インクリメントずつ異なることを特徴とする符号化表現。
【請求項４１】  請求項３９に記載の画像のシーケンスの符号化表現において、前記シーケンス指示子値は画像ヘッダに含まれていることを特徴とする符号化表現。
【請求項４２】  請求項３９に記載の画像のシーケンスの符号化表現であって、Ｈ．２６３ビデオ符号化規格に従って符号化され、前記シーケンス指示子値はＨ．２６３のビットストリームの補助的エンハンスメント情報内に含まれることを特徴とする符号化表現。
【請求項４３】  請求項３９に記載の画像のシーケンスの符号化表現において、前記シーケンス指示子値が画像全体と関連付けられていることを特徴とする符号化表現。
【請求項４４】  請求項３９に記載の画像のシーケンスの符号化表現において、前記シーケンス指示子値が画像の一部分と関連付けられていることを特徴とする符号化表現。
【請求項４５】  請求項４４に記載の画像のシーケンスの符号化表現において、前記シーケンス指示子値が符号化された画像の画像セグメント・ヘッダまたはマクロ・ブロック・ヘッダ内に含まれることを特徴とする符号化表現。
【請求項４６】  請求項３９に記載の画像のシーケンスの符号化表現において、連続して符号化された基準画像の前記シーケンス指示子値は１インクリメントずつ異なることを特徴とする符号化表現。
【請求項４７】  画像のシーケンスを表すビデオ信号を符号化して符号化されたビデオ信号を形成する方法であって、前記符号化されたビデオ信号が、基準画像として定義される複数の符号化された画像を含み、前記符号化された画像の復号化バージョンは、必要な場合に他の画像の時間的予測に用いるため個別に保存され、前記方法が、独立した順序番号付けスキームを用いて、符号化の順に連続する基準画像に所定の大きさだけ互いに異なる個別の指示子値を付与するステップを含み、前記独立した順序番号付けスキームは１以上の連続する基準画像間で符号化された非基準画像の番号と、連続する基準画像間の非符号化画像の番号とは無関係であって、前記非基準画像は基準画像として定義されない符号化された画像であることを特徴とする方法。
【請求項４８】  請求項４７に記載の方法において、連続して符号化される基準画像間で前記指示子値を１だけインクリメントするステップを含むことを特徴とする方法。
【請求項４９】  請求項４７に記載の方法において、特定の基準画像の前記指示子値を対応する画像ヘッダ内に提供するステップを含むことを特徴とする方法。
【請求項５０】  請求項４７に記載の方法において、Ｈ．２６３規格に従って前記ビデオ信号を符号化するステップと、特定の基準画像の前記指示子値を対応するＨ．２６３ビットストリームの補助的エンハンスメント情報に含めるステップと、を含むことを特徴とする方法。
【請求項５１】  請求項４７に記載の方法において、指示子値を基準画像全体と関連付けるステップを含むことを特徴とする方法。
【請求項５２】  請求項４７に記載の方法において、指示子値を基準画像の一部と関連付けるステップを含むことを特徴とする方法。
【請求項５３】  請求項５２に記載の方法において、前記指示子値を符号化された画像の画像セグメント・ヘッダまたはマクロ・ブロック・ヘッダ内に提供するステップを含むことを特徴とする方法。
【請求項５４】  請求項４７に記載の方法において、多層符号化を使用して前記ビデオ信号を符号化し符号化された多層ビデオ信号を生成するステップと、前記層の基準画像の破損または消失の検出を可能にするため前記多層符号化されたビデオ信号の前記多層それぞれについて個別の指示子値を提供するステップと、を含むことを特徴とする方法。
【請求項５５】  請求項４７に記載の方法において、前記所定の大きさは固定された値であることを特徴とする方法。
【請求項５６】  請求項４７に記載の方法において、前記指示子は基準画像順序番号であることを特徴とする方法。
【請求項５７】  請求項４７に記載の方法において、非基準画像がない場合、前記指示子値を連続して符号化される基準画像の間で前記所定の大きさだけインクリメントするステップを含むことを特徴とする方法。
【請求項５８】  符号化されたビデオ信号を復号化して画像のシーケンスを表す復号化されたビデオ信号を形成する方法であって、前記符号化されたビデオ信号は、基準画像として定義される複数の符号化された画像を含み、前記符号化された画像の復号化バージョンは、必要な場合に他の画像の時間的予測に用いるため個別に保存され、前記方法が、
復号化された基準画像を調べて連続して符号化された基準画像に付与される個別の指示子値の差を確認するステップであって、前記指示子値は独立した順序番号付けスキームを有し、符号化の順に連続する基準画像は、所定の大きさだけ互いに異なる指示子値を付与されるステップを含み、前記独立した順序番号付けスキームは、１以上の連続する基準画像間で符号化された非基準画像の番号と、連続する基準画像間の非符号化画像の番号とは無関係であり、前記非基準画像は基準画像として定義されない符号化された画像であることを特徴とし、前記方法はさらに、
個別の指示子値において前記確認された差を前記所定の大きさと比較して、基準画像の破損または消失を検出するステップと、を含むことを特徴とする方法。
【請求項５９】  請求項５８に記載の方法において、前記方法はさらに、前記確認された差が前記所定の大きさと異なる場合に、非時間的予測方法で符号化した画像の提供の要求をエンコーダに送信するステップを含むことを特徴とする方法。
【請求項６０】  請求項５８に記載の方法において、前記方法は符号化の順に連続した基準画像に付与された前記指示子値が１ずつ異なる時、前記比較において所定の大きさである１を用いるステップを含むことを特徴とする方法。
【請求項６１】  請求項５８に記載の方法において、対応する画像ヘッダから特定の基準画像の前記指示子値を取得するステップを含むことを特徴とする方法。
【請求項６２】  請求項５８に記載の方法において、Ｈ．２６３規格に従って符号化されたビデオ信号を受信するステップと、Ｈ．２６３ビットストリームの対応する補助的エンハンスメント情報から特定の基準画像の前記指示子値を取得するステップと、を含むことを特徴とする方法。
【請求項６３】  請求項５８に記載の方法において、指示子値は基準画像全体と関連付けられていることを特徴とする方法。
【請求項６４】  請求項５８に記載の方法において、指示子値は基準画像の一部分と関連付けられていることを特徴とする方法。
【請求項６５】  請求項６４に記載の方法において、前記指示子値を、符号化された画像の画像セグメント・ヘッダまたはマクロ・ブロック・ヘッダから取得するステップを含むことを特徴とする方法。
【請求項６６】  請求項５８に記載の方法において、符号化された多層ビデオ信号の各層について提供された指示子値の確認された差を調べ、前記層内の基準画像の破損または消失を検出するステップを含むことを特徴とする方法。
【請求項６７】  請求項５８に記載の方法において、前記所定の大きさは固定された値であることを特徴とする方法。
【請求項６８】  請求項５８に記載の方法において、前記指示子は基準画像順序番号であることを特徴とする方法。
【請求項６９】  請求項５８に記載の方法において、非基準画像がない場合、前記指示子値を連続して符号化される基準画像の間で前記所定の大きさだけインクリメントするステップを含むことを特徴とする方法。
【請求項７０】  画像のシーケンスを表すビデオ信号を符号化して符号化されたビデオ信号を形成するための装置であって、前記符号化されたビデオ信号は、基準画像として定義される複数の符号化された画像を含み、前記符号化された画像の復号化バージョンは、必要な場合に他の画像の時間的予測に用いるため個別に保存され、前記装置は、独立した順序番号付けスキームを用いて、符号化の順に連続する基準画像に所定の大きさだけ互いに異なる個別の指示子値を付与するよう構成され、前記独立した順序番号付けスキームは１以上の連続する基準画像間で符号化された非基準画像の番号と、連続する基準画像間の非符号化画像の番号とは無関係であって、前記非基準画像は基準画像として定義されない符号化された画像であることを特徴とする装置。
【請求項７１】  請求項７０に記載の装置において、前記装置は、連続して符号化された基準画像間で前記指示子値を１だけインクリメントするよう構成されていることを特徴とする装置。
【請求項７２】  請求項７０に記載の装置において、前記装置は、特定の基準画像の前記指示子値を対応する画像ヘッダ内に提供するよう構成されていることを特徴とする装置。
【請求項７３】  請求項７０に記載の装置において、前記装置は、Ｈ．２６３規格に従って前記ビデオ信号を符号化し、特定の基準画像の前記指示子値を対応するＨ．２６３ビットストリームの補助的エンハンスメント情報に含めるよう構成されていることを特徴とする装置。
【請求項７４】  請求項７０に記載の装置において、前記装置は、指示子値を基準画像全体と関連付けるよう構成されていることを特徴とする装置。
【請求項７５】  請求項７０に記載の装置において、前記装置は、指示子値を基準画像の一部分と関連付けるよう構成されていることを特徴とする装置。
【請求項７６】  請求項７５に記載の装置において、前記指示子値を符号化された画像の画像セグメント・ヘッダまたはマクロ・ブロック・ヘッダ内に提供するよう構成されていることを特徴とする装置。
【請求項７７】  請求項７０に記載の装置において、前記装置は、多層符号化を使用して前記ビデオ信号を符号化し符号化された多層ビデオ信号を生成し、前記層の基準画像の破損または消失の検出を可能にするため前記多層符号化されたビデオ信号の前記多層それぞれについて個別の指示子値を提供するよう構成されていることを特徴とする装置。
【請求項７８】  請求項７０に記載の装置において、前記所定の大きさは固定された値であることを特徴とする装置。
【請求項７９】  請求項７０に記載の装置において、前記指示子は基準画像順序番号であることを特徴とする装置。
【請求項８０】  請求項７０に記載の装置において、前記装置は、非基準画像がない場合、前記指示子値を連続して符号化される基準画像の間で前記所定の大きさだけインクリメントするよう構成されていることを特徴とする装置。
【請求項８１】  符号化されたビデオ信号を復号化して画像のシーケンスを表す復号化されたビデオ信号を形成するための装置であって、前記符号化されたビデオ信号は、基準画像として定義される複数の符号化された画像を含み、前記符号化された画像の復号化バージョンは、必要な場合に他の画像の時間的予測に用いるため個別に保存され、前記装置は、
復号化された基準画像を調べて連続して符号化された基準画像に付与される個別の指示子値の差を確認するように構成され、前記指示子値は独立した順序番号付けスキームを有し、符号化の順に連続する基準画像は、所定の大きさだけ互いに異なる指示子値を付与され、前記独立した順序番号付けスキームは、１以上の連続する基準画像間で符号化された非基準画像の番号と、連続する基準画像間の非符号化画像の番号とは無関係であり、前記非基準画像は基準画像として定義されない符号化された画像であって、前記装置はさらに、
前記個別の指示子値において前記確認された差を前記所定の大きさと比較して、基準画像の破損または消失を検出するよう構成されていることを特徴とする装置。
【請求項８２】  請求項８１に記載の装置において、前記装置はさらに、前記確認された差が前記所定の大きさと異なる場合に、非時間的予測方法で符号化した画像の提供の要求をエンコーダに送信するよう構成されていることを特徴とする装置。
【請求項８３】  請求項８１に記載の装置において、前記装置は、符号化の順に連続した基準画像に付与された前記指示子値が１ずつ異なる時、前記比較において所定の大きさである１を用いるよう構成されていることを特徴とする装置。
【請求項８４】  請求項８１に記載の装置において、前記装置は、対応する画像ヘッダから特定の基準画像の前記指示子値を取得するよう構成されていることを特徴とする装置。
【請求項８５】  請求項８１に記載の装置において、前記装置は、Ｈ．２６３規格に従って符号化されたビデオ信号を受信し、Ｈ．２６３ビットストリームの対応する補助的エンハンスメント情報から特定の基準画像の前記指示子値を取得するよう構成されていることを特徴とする装置。
【請求項８６】  請求項８１に記載の装置において、指示子値は基準画像全体と関連付けられるよう構成されていることを特徴とする装置。
【請求項８７】  請求項８１に記載の装置において、指示子値は基準画像の一部分と関連付けられるよう構成されていることを特徴とする装置。
【請求項８８】  請求項８７に記載の装置において、前記装置は、指示子値を符号化された画像の画像セグメント・ヘッダまたはマクロ・ブロック・ヘッダから取得するよう構成されていることを特徴とする装置。
【請求項８９】  請求項８１に記載の装置において、前記装置は、符号化された多層ビデオ信号の各層について提供された指示子値の確認された差を調べ、前記層内の基準画像の破損または消失を検出するよう構成されていることを特徴とする装置。
【請求項９０】  請求項８１に記載の装置において、前記所定の大きさは固定された値であることを特徴とする装置。
【請求項９１】  請求項８１に記載の装置において、前記指示子は「基準画像順序番号」であることを特徴とする装置。
【請求項９２】  請求項８１に記載の装置において、非基準画像がない場合、前記指示子値は連続して符号化される基準画像の間で前記所定の大きさだけインクリメントされることを特徴とする装置。
【請求項９３】  請求項７０乃至８０のいずれかに記載のビデオ信号を符号化するための装置と、請求項８１乃至９２のいずれかに記載の符号化されたビデオ信号を復号化するための装置の内、少なくとも１つを含むことを特徴とする携帯用無線通信装置。
【請求項９４】  請求項７０乃至８０のいずれかに記載の符号化するための装置と、請求項８１乃至９２のいずれかに記載の復号化するための装置の内、少なくとも１つを含むことを特徴とするマルチメディア端末装置。
【請求項９５】  画像のシーケンスを表すビデオ信号を符号化して符号化されたビデオ信号を形成するためのエンコーダであって、前記符号化されたビデオ信号が、基準画像として定義される複数の符号化された画像を含み、前記符号化された画像の復号化バージョンは、必要な場合に他の画像の時間的予測に用いるため個別に保存され、前記エンコーダは、独立した順序番号付けスキームを用いて、符号化の順に連続する基準画像に所定の大きさだけ互いに異なる個別の指示子値を付与するよう構成され、前記独立した順序番号付けスキームは１以上の連続する基準画像間で符号化された非基準画像の番号と、連続する基準画像間の非符号化画像の番号とは無関係であって、前記非基準画像は基準画像として定義されない符号化された画像であることを特徴とするエンコーダ。
【請求項９６】  符号化されたビデオ信号を復号化して画像のシーケンスを表す復号化されたビデオ信号を形成するデコーダであって、前記符号化されたビデオ信号は、基準画像として定義される複数の符号化された画像を含み、前記符号化された画像の復号化バージョンは、必要な場合に他の画像の時間的予測に用いるため個別に保存され、前記デコーダは、
復号化された基準画像を調べて連続して符号化された基準画像に付与される個別の指示子値の差を確認するように構成され、前記指示子値は独立した順序番号付けスキームを有し、符号化の順に連続する基準画像は、所定の大きさだけ互いに異なる指示子値を付与され、前記独立した順序番号付けスキームは、１以上の連続する基準画像間で符号化された非基準画像の番号と、連続する基準画像間の非符号化画像の番号とは無関係であり、前記非基準画像は基準画像として定義されない符号化された画像であって、前記デコーダは、
前記個別の指示子値において前記確認された差を前記所定の大きさと比較して、基準画像の破損または消失を検出するよう構成されていることを特徴とするデコーダ。
【請求項９７】  画像のシーケンスを表すビデオ信号を符号化して符号化されたビデオ信号を形成するためのコンピュータ・プログラムであって、前記符号化されたビデオ信号が、基準画像として定義される複数の符号化された画像を含み、前記符号化された画像の復号化バージョンは、必要な場合に他の画像の時間的予測に用いるため個別に保存され、前記コンピュータ・プログラムは、独立した順序番号付けスキームを用いて、符号化の順に連続する基準画像に所定の大きさだけ互いに異なる指示子値を付与するためのコードを含み、前記独立した順序番号付けスキームは１以上の連続する基準画像間で符号化された非基準画像の番号と、連続する基準画像間の非符号化画像の番号とは無関係であって、前記非基準画像は基準画像として定義されない符号化された画像であることを特徴とするコンピュータ・プログラム。
【請求項９８】  請求項９７に記載のコンピュータ・プログラムにおいて、前記コンピュータ・プログラムは、連続して符号化された基準画像間で前記指示子値を１だけインクリメントするためのコードを含むことを特徴とするコンピュータ・プログラム。
【請求項９９】  請求項９７に記載のコンピュータ・プログラムにおいて、前記コンピュータ・プログラムは、特定の基準画像の前記指示子値を対応する画像ヘッダ内に提供するためのコードを含むことを特徴とするコンピュータ・プログラム。
【請求項１００】  請求項９７に記載のコンピュータ・プログラムにおいて、前記コンピュータ・プログラムは、Ｈ．２６３規格に従ってビデオ信号を符号化するためのコードと、特定の基準画像の前記指示子値をＨ．２６３ビットストリームの対応する補助的エンハンスメント情報に含めるためのコードと、を含むことを特徴とするコンピュータ・プログラム。
【請求項１０１】  請求項９７に記載のコンピュータ・プログラムにおいて、前記コンピュータ・プログラムは、指示子値を基準画像全体と関連付けるためのコードを含むことを特徴とするコンピュータ・プログラム。
【請求項１０２】  請求項９７に記載のコンピュータ・プログラムにおいて、前記コンピュータ・プログラムは、指示子値を基準画像の一部分と関連付けるためのコードを含むことを特徴とするコンピュータ・プログラム。
【請求項１０３】  請求項１０２に記載のコンピュータ・プログラムにおいて、前記コンピュータ・プログラムは、前記指示子値を、符号化された画像の画像セグメント・ヘッダまたはマクロ・ブロック・ヘッダに提供するためのコードを含むことを特徴とするコンピュータ・プログラム。
【請求項１０４】  請求項９７に記載のコンピュータ・プログラムにおいて、前記コンピュータ・プログラムは、多層符号化を使用して前記ビデオ信号を符号化し符号化された多層ビデオ信号を生成するためのコードと、前記層の基準画像の破損または消失の検出を可能にするため前記多層符号化されたビデオ信号の前記多層それぞれについて個別の指示子値を提供するためのコードと、を含むことを特徴とするコンピュータ・プログラム。
【請求項１０５】  請求項９７に記載のコンピュータ・プログラムにおいて、前記所定の大きさは固定された値であることを特徴とするコンピュータ・プログラム。
【請求項１０６】  請求項９７に記載のコンピュータ・プログラムにおいて、前記指示子は基準画像順序番号であることを特徴とするコンピュータ・プログラム。
【請求項１０７】  請求項９７に記載のコンピュータ・プログラムにおいて、前記コンピュータ・プログラムは、非基準画像がない場合、前記指示子値を連続して符号化される基準画像の間で前記所定の大きさだけインクリメントするためのコードを含むことを特徴とするコンピュータ・プログラム。
【請求項１０８】  符号化されたビデオ信号を復号化して画像のシーケンスを表す復号化されたビデオ信号を形成するためのコンピュータ・プログラムであって、前記符号化されたビデオ信号は、基準画像として定義される複数の符号化された画像を含み、前記符号化された画像の復号化バージョンは、必要な場合に他の画像の時間的予測に用いるため個別に保存され、前記コンピュータ・プログラムが、
復号化された基準画像を調べて連続して符号化された基準画像に付与される個別の指示子値の差を確認するためのコードを含み、前記指示子値は独立した順序番号付けスキームを有し、符号化の順に連続する基準画像は、所定の大きさだけ互いに異なる指示子値を付与され、前記独立した順序番号付けスキームは、１以上の連続する基準画像間で符号化された非基準画像の番号と、連続する基準画像間の非符号化画像の番号とは無関係であり、前記非基準画像は基準画像として定義されない符号化された画像であって、前記コンピュータ・プログラムはさらに、
個別の指示子値において前記確認された差を前記所定の大きさと比較して、基準画像の破損または消失を検出するためのコードを含むことを特徴とするコンピュータ・プログラム。
【請求項１０９】  請求項１０８に記載のコンピュータ・プログラムにおいて、前記コンピュータ・プログラムは前記確認された差が前記所定の大きさと異なる場合に、非時間的予測方法で符号化した画像の提供の要求をエンコーダに送信するためのコードを含むことを特徴とするコンピュータ・プログラム。
【請求項１１０】  請求項１０８に記載のコンピュータ・プログラムにおいて、前記コンピュータ・プログラムは符号化の順に連続した基準画像に付与された前記指示子値が１ずつ異なる時、前記比較において所定の大きさである１を用いるためのコードを含むことを特徴とするコンピュータ・プログラム。
【請求項１１１】  請求項１０８に記載のコンピュータ・プログラムにおいて、前記コンピュータ・プログラムは対応する画像ヘッダから特定の基準画像の前記指示子値を取得するためのコードを含むことを特徴とするコンピュータ・プログラム。
【請求項１１２】  請求項１０８に記載のコンピュータ・プログラムにおいて、前記コンピュータ・プログラムは、Ｈ．２６３規格に従って符号化されたビデオ信号を受信するためのコードと、Ｈ．２６３ビットストリームの対応する補助的エンハンスメント情報から特定の基準画像の前記指示子値を取得するためのコードと、を含むことを特徴とするコンピュータ・プログラム。
【請求項１１３】  請求項１０８に記載のコンピュータ・プログラムにおいて、指示子値は基準画像全体と関連付けられていることを特徴とするコンピュータ・プログラム。
【請求項１１４】  請求項１０８に記載のコンピュータ・プログラムにおいて、指示子値は基準画像の一部分と関連付けられていることを特徴とするコンピュータ・プログラム。
【請求項１１５】  請求項１１４に記載のコンピュータ・プログラムにおいて、前記コンピュータ・プログラムは、前記指示子値を符号化された画像の画像セグメント・ヘッダまたはマクロ・ブロック・ヘッダから取得することを含むことを特徴とするコンピュータ・プログラム。
【請求項１１６】  請求項１０８に記載のコンピュータ・プログラムにおいて、符号化された多層ビデオ信号の各層について提供された指示子値の確認された差を調べ、前記層内の基準画像の破損または消失を検出するためのコードを含むことを特徴とするコンピュータ・プログラム。
【請求項１１７】  請求項１０８に記載のコンピュータ・プログラムにおいて、前記所定の大きさは固定された値であることを特徴とするコンピュータ・プログラム。
【請求項１１８】  請求項１０８に記載のコンピュータ・プログラムにおいて、前記指示子は基準画像順序番号であることを特徴とするコンピュータ・プログラム。